(57)【特許請求の範囲】
【請求項１】
建設機械の作業装置の先端に取り付けられた取付プレートと、この取付プレートに装着されたモーターと、カップリングで前記モーターの出力軸に接続され、シールにより密閉された所定長さの保護管内に延設され、回転自在なピニオン軸の先端に取り付けられたベベルピニオンと、このベベルピニオンに噛合するベベルギヤーと、このベベルギヤーが嵌挿されると共に、キーを介して固定され、回転自在で、ベベルギヤー及びその嵌挿部がシールされた横軸と、この横軸の両端にそれぞれ取り付けられた撹拌翼とより成ることを特徴とする軟弱地盤改良装置。
【発明の詳細な説明】
【０００１】
【産業上の利用分野】
本発明は、埋立地や泥湿地などの軟弱地盤の安定化処理を行うための軟弱地盤改良装置に関するものである。
【０００２】
【従来の技術】
従来軟弱地盤の安定化処理のためにＭＲ工法（Ｍｕｄ  Ｒｅｆｏｒｍ）工法と称し、図４に示すように油圧ショベル（以下ＨＥと称す）の作業装置の長いアーム１の先端に撹拌翼２を枢着した装置が開発され、アーム１を前後に動かしつつ、セメント、生石灰等の固化材と表土３を所定の深さまで混合して、地盤を固化させることが行われていた。
【０００３】
この装置はＨＥのバケットの代りにアーム１の先端に取り付けられるもので、図２，図３に示すような構造であった。
但し、ＨＥ以外の建設機械、例えばバックホーやショベル等の作業装置の先端に取り付けても良い。
図２は正面から見た部分断面図、図３は側面図である。
図において５はモーターで電動、油圧、エア等の内の何れかのモーターが使用される。
このモーター５の出力軸５ａにはチェーン用の駆動側のスプロケットホイール６ａがキー止めされている。
このモーター５はＨＥ（図４）のアーム１先端が取り付けられる取付プレート７に取り付けられている。
取付プレート７の下部には保護カバー８が連結され、この保護カバー８の下端には左右にベアリングボックス９，９がシールされた状態で取り付けられ、その中央には被動側のスプロケットホイール６ｂが横軸１０の中央に固定されている。
【０００４】
保護カバー８はベアリングボックス９，９から下方へ延設され、先端は尖ったキャップ８ａで閉塞されている。
前記横軸１０の両端には、それぞれ撹拌翼２，２が取り付けられている。
そして、前記駆動側のスプロケットホイール６ａと被動側のスプロケットホイール６ｂの間にはローラーチェーン１１が掛け渡されている。
従って、モーター５が駆動されると、スプロケットホイール６ａ，６ｂからローラーチェーン１１を経て横軸１０が回転し、従って、これの両側に取り付けられた撹拌翼２，２が回転するようになっている。
【０００５】
【発明が解決しようとする課題】
しかるに、ローラーチェーン１１による撹拌翼２，２の駆動は、ローラーチェーン１１の延び、切れ、ローラーチェーン１１の外れ等トラブルが多く、特にローラーチェーン１１が延びると、ローラーチェーン１１がスプロケットホイール６ａ，６ｂから外れることが多いので作業不能となり、ローラーチェーン１１を短縮する場合は、保護カバー８、ベアリングボックス９，９等を分解する必要があり、手間がかかる構造であった。
【０００６】
さらに、スプロケットホイール６ａ，６ｂとローラーチェーン１１による撹拌翼２，２の駆動の場合、モーター５は保護カバー８と直交する状態で取付プレート７に取り付けられるので、外方へ突出する状態となっており、バランスが悪く、かつ、地盤深くまで撹拌するために、モーター５の近くまで装置を差し込んだ時にモーター５に泥土がかかり、モーター５が電気モーターの場合、絶縁が悪くなるという欠点があり、その場合はモーター５に密閉用のカバーをかけることが必要となる等の欠点があった。
【０００７】
本発明は前述した事情に鑑みてなされたもので、バランスが良く、かつ、維持、保修に手間のかからない軟弱地盤改良装置を提供せんとするものである。
【０００８】
【課題を解決するための手段】
前記目的を達成するため、本発明は、建設機械の作業装置の先端に取り付けられた取付プレートと、この取付プレートに装着されたモーターと、カップリングで前記モーターの出力軸に接続され、シールにより密閉された所定長さの保護管内に延設され、回転自在なピニオン軸の先端に取り付けられたベベルピニオンと、このベベルピニオンに噛合するベベルギヤーと、このベベルギヤーが嵌挿されると共に、キーを介して固定され、回転自在で、ベベルギヤー及びその嵌挿部がシールされた横軸と、この横軸の両端にそれぞれ取り付けられた撹拌翼とより成ることを特徴とする。
【０００９】
【作用】
本発明では、モーター軸と、ピニオン軸とが一直線となり、バランスが良い。
【００１０】
ベベルピニオンとベベルギヤーの噛合による動力伝達であるので動力が確実に伝達される。
【００１１】
【実施例】
以下、添付図に基づいて本発明の実施例を詳細に説明する。
図１は、本発明の一実施例を示す一部切断した正面図である。
図において、２１は取り付けプレートで、その下部にはモーター５が垂直に取り付けてある。このモーター５は電動でも、油圧駆動でも、空気圧駆動でも良い。
図の場合は油圧モーターの場合で、電動の場合は、取付プレート２１内に遮蔽される。
２３はジョーカップリングで軸方向に切離し可能となっており、分解が簡単な構造になっている。
ピニオン軸２４はベベルピニオン２５と共に保護管２７内にシールされた状態で収納されている。ベベルピニオン２５はピニオン軸２４の先端にスプライン２４ａを介して取付られている。
そして、ベアリング２８ａ，２８ｂ，２８ｃにより回軸自在に支持されている。図において、２９ａ，２９ｂ，２９ｃ，２９ｄはシールである。
【００１２】
２６はベベルギヤーで、横軸３１に止められており、ベアリング２８ｃ，２８ｃにより回転自在となっている。
前記ベベルピニオン２５及びピニオン軸２４、ベベルギヤー２６、ベアリング２８ａ，２８ｂ，２８ｃ類は保護管２７内にシール２９ａ，２９ｂ，２９ｃ，２９ｄにより保護されている。また、前記ジョーカップリング２３も密閉室３０内に隔離されている。
開示されていないが、横軸３１の両側には図２と同様の撹拌翼２，２がキー止めされている。
【００１３】
この装置は、例えば、図４に示すＨＥのアーム１先端にピン孔２１ａ，２１ｂを介して枢着され、ＨＥにバケットが取り付けられた時と同様に操作され、撹拌翼２，２がモーター５により回転させられた状態で、所定の深さまで地盤の泥土が固化材と混合される。
【００１４】
【発明の効果】
以上、詳細に説明した本発明によれば、下記のような効果を奏するものである。
（１）従来のように駆動系がチェーンによる連結でなく、ベベルピニオンとベベルギヤーによる直接の噛合であるので、チェーンの調整が必要でなく、チェーンが切断して飛ぶということもないので、故障が少なく、かつ保守に手間がかからない。
【００１５】
（２）モーターがピニオン軸と直線上に取り付けられ、従来のように横方向に突出することがないので、バランスがとれており、モーターが電動の場でも泥の侵入を防ぐための重いカバーを取り付ける必要がない。
（３）ギヤ駆動となっているので、駆動部分をコンパクトにすることができ、作業性がよい。
【図面の簡単な説明】
【図１】本発明の一実施例を示す、一部切断した正面図である。
【図２】従来の軟弱地盤改良装置を示す一部切断した正面図である。
【図３】従来の軟弱地盤改良装置を示す側面図である。
【図４】軟弱地盤改良装置をＨＥの作業装置に取り付けた作業説明図である。
【符号の説明】
２  撹拌翼
５  モーター
２１  取付プレート
２１ａ，２１ｂ  ピン孔
２３  ジョーカップリング
２４  ピニオン軸
２５  ベベルピニオン
２６  ベベルギヤー
２７  保護管
２９ａ，２９ｂ，２９ｃ，２９ｄ  シール
３１  横軸
【図１】
0003632040.tif 000002
【図２】
0003632040.tif 000003
【図３】
0003632040.tif 000004
【図４】
0003632040.tif 000005